(57)【要約】      （修正有）【課題】多灯制御において、複数の照明装置の充電完了情報があった場合でも、撮像装置に対して複数の照明装置の充電完了情報を通知する技術を提供する。【解決手段】照明装置は、任意の数の他の照明装置と無線通信が可能に接続され、撮像装置に対して通信可能に装着されて、他の照明装置と同期して駆動され、自身の充電完了情報をマスター充電完了情報として保持するとともに、他の照明装置から取得した他の照明装置の充電完了情報をスレーブ充電完了情報としてアナログ情報又はデジタル情報で保持する。そして、マスター充電完了情報とスレーブ充電完了情報とを合わせて又はマスター充電完了情報とスレーブ充電完了情報とを分けて送信可能な送信手段が、撮像装置との通信により撮像装置からマスター充電完了情報とスレーブ充電完了情報とを分けて送信する指示があった場合に、マスター充電完了情報とスレーブ充電完了情報とを分けて撮像装置に送信する。【選択図】図１０
2018165770.tif 000002
【特許請求の範囲】
【請求項１】
任意の数の他の照明装置と無線通信が可能に接続され、撮像装置に対して通信可能に装着されて、前記他の照明装置と同期して駆動される照明装置であって、
自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する保持手段と、
前記マスター充電完了情報と前記スレーブ充電完了情報とを合わせて又は前記マスター充電完了情報と前記スレーブ充電完了情報とを分けて送信する送信手段と、
前記撮像装置との通信により前記撮像装置から前記マスター充電完了情報と前記スレーブ充電完了情報とを分けて送信する指示があったか否かを判定する判定手段と、を備え、
前記送信手段は、前記撮像装置から前記マスター充電完了情報と前記スレーブ充電完了情報とを分けて送信する指示があったと前記判定手段が判定した場合に、前記マスター充電完了情報と前記スレーブ充電完了情報とを分けて前記撮像装置に送信することを特徴とする照明装置。
【請求項２】
任意の数の他の照明装置と無線通信が可能に接続され、撮像装置に対して通信可能に装着されて、前記他の照明装置と同期して駆動される照明装置であって、
自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する保持手段と、
前記マスター充電完了情報と前記スレーブ充電完了情報とを合わせて又は前記マスター充電完了情報と前記スレーブ充電完了情報とを分けて送信する送信手段と、
前記撮像装置との通信により取得した前記撮像装置の機種情報から前記撮像装置が前記マスター充電完了情報と前記スレーブ充電完了情報とを分けて受信が可能か否かを判断する判断手段と、を備え、
前記送信手段は、前記撮像装置が前記マスター充電完了情報と前記スレーブ充電完了情報とを分けて受信が可能と前記判断手段が判断した場合に、前記マスター充電完了情報と前記スレーブ充電完了情報とを分けて前記撮像装置に送信することを特徴とする照明装置。
【請求項３】
前記送信手段は、前記マスター充電完了情報と前記スレーブ充電完了情報とを合わせた情報をアナログ通信により前記撮像装置に送信し、
前記マスター充電完了情報と前記スレーブ充電完了情報とを分けた情報のうち、前記マスター充電完了情報をデジタル通信により前記撮像装置に送信し、前記スレーブ充電完了情報をアナログ通信により前記撮像装置に送信することを特徴とする請求項１又は２に記載の照明装置。
【請求項４】
前記送信手段は、前記マスター充電完了情報と前記スレーブ充電完了情報とを合わせた情報をデジタル通信により前記撮像装置に送信し、
前記マスター充電完了情報と前記スレーブ充電完了情報とを分けた情報のうち、前記マスター充電完了情報をデジタル通信により前記撮像装置に送信し、前記スレーブ充電完了情報をアナログ通信により前記撮像装置に送信することを特徴とする請求項１又は２に記載の照明装置。
【請求項５】
前記送信手段は、前記マスター充電完了情報と前記スレーブ充電完了情報とを合わせた情報をアナログ通信により前記撮像装置に送信し、
前記マスター充電完了情報と前記スレーブ充電完了情報とを分けた情報をそれぞれ通信の内容を分けて前記撮像装置に送信し、
更に、複数の前記他の照明装置のすべてが充電完了である場合は、前記スレーブ充電完了情報をアナログ通信により前記撮像装置に送信することを特徴とする請求項１又は２に記載の照明装置。
【請求項６】
前記送信手段は、前記マスター充電完了情報と前記スレーブ充電完了情報とを合わせた情報をアナログ通信により前記撮像装置に送信し、
前記マスター充電完了情報と前記スレーブ充電完了情報とを分けた情報のうち、前記マスター充電完了情報をアナログ通信により前記撮像装置に送信し、前記スレーブ充電完了情報をデジタル通信により前記撮像装置に送信することを特徴とする請求項１又は２に記載の照明装置。
【請求項７】
前記送信手段は、前記マスター充電完了情報と前記スレーブ充電完了情報とを合わせた情報をデジタル通信により前記撮像装置に送信し、
前記マスター充電完了情報と前記スレーブ充電完了情報とを分けた情報のうち、前記マスター充電完了情報をアナログ通信により前記撮像装置に送信し、前記スレーブ充電完了情報をデジタル通信により前記撮像装置に送信することを特徴とする請求項１又は２に記載の照明装置。
【請求項８】
前記送信手段は、前記マスター充電完了情報と前記スレーブ充電完了情報とを合わせた情報をアナログ通信で前記撮像装置に送信し、
前記マスター充電完了情報と前記スレーブ充電完了情報とを分けた情報をデジタル通信によりそれぞれ通信の内容を分けて前記撮像装置に送信することを特徴とする請求項１又は２に記載の照明装置。
【請求項９】
前記送信手段は、前記マスター充電完了情報と前記スレーブ充電完了情報とを合わせた情報をデジタル通信で前記撮像装置に送信し、
前記マスター充電完了情報と前記スレーブ充電完了情報とを分けた情報をデジタル通信によりそれぞれ通信の内容を分けて前記撮像装置に送信することを特徴とする請求項１又は２に記載の照明装置。
【請求項１０】
前記送信手段は、前記マスター充電完了情報と前記スレーブ充電完了情報とを分けた情報をデジタル通信で前記撮像装置に送信する際、複数の前記他の照明装置のすべてが充電完了である場合、前記スレーブ充電完了情報を、前記複数の他の照明装置ごとの充電完了情報と前記複数の他の照明装置のすべてが充電完了した全充電完了情報とに分けて送信することを特徴とする請求項６乃至９のいずれか一項に記載の照明装置。
【請求項１１】
任意の数の他の照明装置と無線通信が可能に接続され、撮像装置に対して通信可能に装着されて、前記他の照明装置と同期して駆動され、自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する照明装置の制御方法であって、
前記マスター充電完了情報と前記スレーブ充電完了情報とを合わせて又は前記マスター充電完了情報と前記スレーブ充電完了情報とを分けて送信する送信ステップと、
前記撮像装置との通信により前記撮像装置から前記マスター充電完了情報と前記スレーブ充電完了情報とを分けて送信する指示があったか否かを判定する判定ステップと、を備え、
前記送信ステップは、前記撮像装置から前記マスター充電完了情報と前記スレーブ充電完了情報とを分けて送信する指示があったと前記判定ステップで判定された場合に、前記マスター充電完了情報と前記スレーブ充電完了情報とを分けて前記撮像装置に送信することを特徴とする照明装置の制御方法。
【請求項１２】
任意の数の他の照明装置と無線通信が可能に接続され、撮像装置に対して通信可能に装着されて、前記他の照明装置と同期して駆動され、自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する照明装置の制御方法であって、
前記マスター充電完了情報と前記スレーブ充電完了情報とを合わせて又は前記マスター充電完了情報と前記スレーブ充電完了情報とを分けて送信する送信ステップと、
前記撮像装置との通信により取得した前記撮像装置の機種情報から前記撮像装置が前記マスター充電完了情報と前記スレーブ充電完了情報とを分けて受信が可能か否かを判断する判断ステップと、を備え、
前記送信ステップは、前記撮像装置が前記マスター充電完了情報と前記スレーブ充電完了情報とを分けて受信が可能と前記判断ステップで判断された場合に、前記マスター充電完了情報と前記スレーブ充電完了情報とを分けて前記撮像装置に送信することを特徴とする照明装置の制御方法。
【発明の詳細な説明】
【技術分野】
【０００１】
本発明は、デジタルカメラ等の撮像装置に対して充電完了情報を通知するストロボ装置等の照明装置、及びその制御方法に関する。
【背景技術】
【０００２】
デジタルカメラ等の撮像装置に装着されるストロボ装置では、充電完了情報を撮像装置へ通知する手段として、撮像装置との通信や撮像装置との接続端子の端子電圧レベルの変化により通知している。また、ストロボ装置の充電完了情報は、当該ストロボ装置に複数の他のストロボ装置が無線通信により接続されていても、充電完了情報は１つの情報として撮像装置へ通知している。
【０００３】
従来、撮像装置と通信可能なマスターストロボ装置と、マスターストロボ装置と双方向の無線通信が可能なスレーブストロボ装置とを有するストロボシステムが提案されている（特許文献１）。この提案では、多灯制御において、マスターストロボ装置からのレリーズ制御のための通信とスレーブストロボ装置からの情報通信との衝突を回避する仕組みが開示されている。
【先行技術文献】
【特許文献】
【０００４】
【特許文献１】特開２０１３−２４９４５号公報
【発明の概要】
【発明が解決しようとする課題】
【０００５】
しかし、上記特許文献１では、撮像装置へのストロボ装置の充電完了情報に関して、複数のストロボ装置の充電完了情報を撮像装置に通知する仕組みについては開示されていない。
【０００６】
そこで、本発明は、多灯制御において、複数の照明装置の充電完了情報があった場合でも、撮像装置に対して複数の照明装置の充電完了情報を通知することができる技術を提供することを目的とする。
【課題を解決するための手段】
【０００７】
上記目的を達成するために、本発明は、任意の数の他の照明装置と無線通信が可能に接続され、撮像装置に対して通信可能に装着されて、前記他の照明装置と同期して駆動される照明装置であって、自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する保持手段と、前記マスター充電完了情報と前記スレーブ充電完了情報とを合わせて又は前記マスター充電完了情報と前記スレーブ充電完了情報とを分けて送信する送信手段と、前記撮像装置との通信により前記撮像装置から前記マスター充電完了情報と前記スレーブ充電完了情報とを分けて送信する指示があったか否かを判定する判定手段と、を備え、前記送信手段は、前記撮像装置から前記マスター充電完了情報と前記スレーブ充電完了情報とを分けて送信する指示があったと前記判定手段が判定した場合に、前記マスター充電完了情報と前記スレーブ充電完了情報とを分けて前記撮像装置に送信することを特徴とする。
【０００８】
また、上記目的を達成するために、本発明は、任意の数の他の照明装置と無線通信が可能に接続され、撮像装置に対して通信可能に装着されて、前記他の照明装置と同期して駆動される照明装置であって、自身の充電完了情報をマスター充電完了情報としてアナログ情報又はデジタル情報で保持するとともに、前記他の照明装置から取得した前記他の照明装置の充電完了情報をスレーブ充電完了情報としてアナログ情報又はデジタル情報で保持する保持手段と、前記マスター充電完了情報と前記スレーブ充電完了情報とを合わせて又は前記マスター充電完了情報と前記スレーブ充電完了情報とを分けて送信する送信手段と、前記撮像装置との通信により取得した前記撮像装置の機種情報から前記撮像装置が前記マスター充電完了情報と前記スレーブ充電完了情報とを分けて受信が可能か否かを判断する判断手段と、を備え、前記送信手段は、前記撮像装置が前記マスター充電完了情報と前記スレーブ充電完了情報とを分けて受信が可能と前記判断手段が判断した場合に、前記マスター充電完了情報と前記スレーブ充電完了情報とを分けて前記撮像装置に送信することを特徴とする。
【発明の効果】
【０００９】
本発明によれば、多灯制御において、複数の照明装置の充電完了情報があった場合でも、撮像装置に対して複数の照明装置の充電完了情報を通知することができる。
【図面の簡単な説明】
【００１０】
【図１】デジタルカメラの構成を示すブロック図である。
【図２】図１に示すデジタルカメラの外部ストロボインターフェイスとストロボ制御部の接続信号を説明するブロック図である。
【図３】図１に示すデジタルカメラに装着される本発明の照明装置の第１の実施形態に係る外部ストロボ装置の構成を示すブロック図である。
【図４】カメラの動作のメインフローを説明するフローチャートである。
【図５】図４のステップＳ４０５におけるストロボ通信処理を説明するフローチャートである。
【図６】図５のステップＳ５０１における充完情報要求通信処理を説明するフローチャートである。
【図７】図６のステップＳ６０３における単充完情報取得処理を説明するフローチャートである。
【図８】図６のステップＳ６０４における複数充完情報取得処理を説明するフローチャートである。
【図９】（ａ）は複数充完情報指示通信の内容を示す図、（ｂ）はスレーブ複数充完情報通信の内容を示す図、（ｃ）はスレーブ全充完情報通信の内容を示す図である。
【図１０】ファインダ内の情報表示部の表示例を示す図である。
【図１１】外部ストロボの動作のメインフローを説明するフローチャートである。
【図１２】図１１のステップＳ１１０６におけるカメラとの通信処理について説明するフローチャートである。
【図１３】図１１のステップＳ１１０７における充電情報（アナログ信号）出力処理を説明するフローチャートである。
【図１４】本発明の照明装置の第２の実施形態に係る外部ストロボ装置において、カメラ側での充電情報要求通信処理を説明するフローチャートである。
【図１５】図１４のステップＳ１４０８における複数充完情報取得処理を説明するフローチャートである。
【図１６】カメラとの通信処理を説明するフローチャートである。
【図１７】外部ストロボ装置側の充電情報（アナログ信号）出力処理を説明するフローチャートである。
【図１８】（ａ）は複数充完情報非対応のストロボ機種テーブルを示す図、（ｂ）は複数充完情報非対応のカメラ機種テーブルを示す図である。
【図１９】（ａ）はカメラと外部ストロボの機種情報通信の内容を示す図、（ｂ）はマスター充完情報通信の内容を示す図である。
【図２０】本発明の照明装置の第３の実施形態に係る外部ストロボ装置において、カメラ側での充電情報要求通信処理を説明するフローチャートである。
【図２１】カメラとの通信処理を説明するフローチャートである。
【図２２】外部ストロボ装置側の充電情報（アナログ信号）出力処理を説明するフローチャートである。
【図２３】マスター／スレーブ充完情報通信を説明する図である。
【図２４】本発明の照明装置の第４の実施形態に係る外部ストロボ装置において、カメラ側での複数充完情報取得処理を説明するフローチャートである。
【図２５】マスター／スレーブ充完情報通信を説明する図である。
【図２６】本発明の照明装置の第５の実施形態に係る外部ストロボ装置において、カメラ側での複数充完情報取得処理を説明するフローチャートである。
【図２７】外部ストロボ装置側の充電情報（アナログ信号）出力処理を説明するフローチャートである。
【発明を実施するための形態】
【００１１】
以下、図面を参照して、本発明の実施形態を説明する。
【００１２】
（第１の実施形態）
図１は、デジタルカメラの構成を示すブロック図である。図２は、図１に示すデジタルカメラの外部ストロボインターフェイス１１９とストロボ制御部１１８の接続信号を説明するブロック図である。図３は、図１に示すデジタルカメラに装着される外部ストロボ装置２００の構成を示すブロック図である。ここで、デジタルカメラは、本発明の撮像装置の一例に相当し、外部ストロボ装置２００（以下、外部ストロボ２００という。）は、本発明の照明装置の一例に相当する。
【００１３】
まず、図１を参照して、デジタルカメラ（以下、カメラという。）の構成について説明する。図１において、カメラ制御部１０１は、ＣＰＵ，ＲＡＭ，ＲＯＭ等で構成され、撮影シーケンス等のカメラ全体のシステム制御を司る。撮像素子１０３は、ＣＣＤセンサやＣＭＯＳセンサ等で構成され、不図示のレンズユニットを通過して結像した被写体からの反射光束を電気信号に変換する。タイミング信号発生回路１０２は、撮像素子１０３を動作させるために必要なタイミング信号を発生する。Ａ／Ｄ変換器１０４は、撮像素子１０３から読み出されたアナログ画像データをデジタル画像データに変換する。メモリコントローラ１０５は、メモリの読み書きやバッファメモリ１０６のリフレッシュ動作などを制御する。
【００１４】
画像表示部１０７は、バッファメモリ１０６に蓄えられた画像データを表示する。記録媒体Ｉ／Ｆ１０８は、記録媒体１０９との接続のためのインターフェイスである。記録媒体１０９は、メモリカードやハードディスクなどで構成される。モータ制御部１１０は、露出動作時にカメラ制御部１０１からの信号に従って不図示のモータを制御することにより、不図示のミラーのアップ／ダウンやシャッタのチャージを行わせる。シャッタ制御部１１１は、カメラ制御部１０１からの信号に従って、不図示のシャッタ先幕／後幕の通電をカットして幕走行させ、露出動作を制御する。
【００１５】
測光部１１２は、画面内の各エリアの輝度信号として、画面内を複数のエリアに分割した多分割測光センサ１１３からの出力をカメラ制御部１０１に出力する。カメラ制御部１０１は、この輝度信号を不図示のＡ／Ｄ変換器により変換し、撮影の露出調節のためのＡＶ（絞り値）、ＴＶ（シャッタスピード）、ＩＳＯ（撮像素子の感度）等の測光演算を行う。また、測光部１１２は、外部ストロボ２００にて被写体へ向けて予備（プリ）発光した時の輝度信号をカメラ制御部１０１に出力し、カメラ制御部１０１は、この輝度信号により露出時のストロボメイン発光量の演算も行う。
【００１６】
レンズ制御部１１４は、不図示のレンズマウント接点を介してレンズユニットとカメラ制御部１０１とを通信し、不図示のレンズ駆動モータ及びレンズ絞りモータを動作させ、レンズの焦点調節と絞りを制御する。焦点検出部１１５は、ＡＦ(オートフォーカス)のための被写体に対するデフォーカス量を検出する機能を有する。姿勢検出部１１６は、重力方向と光軸を中心とした回転方向に対するカメラの傾きを検出する。
【００１７】
レリーズスイッチＳＷ１は、不図示のレリーズボタンの第１ストロークでオンし、ＡＦおよび測光を開始させ、レリーズスイッチＳＷ２は、レリーズボタンの第２ストロークでオンし、露出動作を開始させる。レリーズスイッチＳＷ１，ＳＷ２及びその他不図示のカメラの操作部材からの信号は、スイッチ操作部１１７が検知し、カメラ制御部１０１に信号を送る。ストロボ制御部１１８では、発光パターン（プリ発光指示又はメイン発光指示）やメイン発光量等の発光処理を行う。ストロボ制御部１１８には、外部ストロボインターフェイス１１９が接続され、外部ストロボ２００との通信は、外部ストロボインターフェイス１１９を介して行う。
【００１８】
ここで、図２を参照して、外部ストロボインターフェイス１１９とストロボ制御部１１８の接続信号について説明する。図２に示すように、外部ストロボインターフェイス１１９とストロボ制御部１１８とは、３本のデジタル通信ライン（ＭＩＳＯ、ＭＯＳＩ、ＳＣＬＫ）と１本のアナログ信号（電圧）ラインの合計４本の接続線により接続されている。グランド信号ラインを除くアナログ信号ラインは、外部ストロボ２００が充電完了すると、信号をＨｉからＬｏｗにし、このＬｏｗ信号をストロボ制御部１１８が検出し、充電完了を検知する。
【００１９】
次に、図３を参照して、外部ストロボ２００の構成について説明する。ここで、本実施形態では、外部ストロボ２００をマスターストロボとし、マスターストロボに対して不図示の任意の数のスレーブストロボが無線通信可能に接続されている。マスターストロボとスレーブストロボは、カメラ制御部１０１からの指示により同期して駆動される。
【００２０】
図３において、ストロボ制御部２０３は、ＣＰＵ，ＲＡＭ，ＲＯＭ等で構成され、外部ストロボ２００全体の制御を司る。例えば、ストロボ制御部２０３は、インターフェイス２０４を介してカメラからの発光指示などを受信し、更に外部ストロボ２００の各種設定情報をカメラへ送信する。また、ストロボ制御部２０３は、無線制御部２１２との通信により、スレーブストロボの充電完了情報を取得し、カメラへ通知する。
【００２１】
ストロボ発光部２０５は、キセノン管と反射笠で構成されている。発光回路２０２は、ストロボ制御部２０３からの指示により、ストロボ発光開始や停止を行う。また、発光回路２０２は、発光用のコンデンサとその充電回路も含み、充電状態をストロボ制御部２０３へ通知する。操作／表示部２０１は、釦やスイッチで構成された操作部材の操作情報をストロボ制御部２０３へ通知し、また、ストロボ制御部２０３からの情報により、各種情報を表示する。
【００２２】
インターフェイス２０４は、デジタル通信部とアナログ通信部（電圧や電流）で構成され、インターフェイス２０４を介してカメラとの情報のやり取りを行う。アンテナ２１１は、無線通信の為のアンテナである。無線制御部２１２は、ストロボ制御部２０３から指示により、スレーブストロボに対して無線により指示や情報を出力する。また、無線制御部２１２は、スレーブストロボから受信した情報（充電完了情報等）をストロボ制御部２０３へ通知する。発振回路２１３は、無線制御するための回路である。なお、以下の説明では、マスターストロボ及びスレーブストロボを含めて単にストロボと表現する場合がある。
【００２３】
次に、図４乃至図１０を参照して、カメラの動作を説明する。図４は、カメラの動作のメインフローを説明するフローチャートである。図４の各処理は、カメラ制御部１０１のＲＯＭ等に格納されたプログラムがＲＡＭに展開されてＣＰＵ等によって実行される。
【００２４】
図４において、ステップＳ４０１では、カメラ制御部１０１は、レジスタの初期化、データの初期化、周辺部の初期化等を初期設定し、ステップＳ４０２に進む。なお、データの初期化には、後述する充電完了フラグ（充完フラグ）、マスターストロボの充電完了フラグ（マスター充完フラグ）、スレーブストロボの充電完了フラグ（スレーブ充完フラグ）などのＲＡＭ情報の初期化が含まれる。ステップＳ４０２では、カメラ制御部１０１は、スイッチ操作部１１７からレリーズスイッチＳＷ１，ＳＷ２及びその他不図示のカメラの操作部材の状態を検出し、ステップＳ４０３に進む。
【００２５】
ステップＳ４０３では、カメラ制御部１０１は、不図示の動作電源ＳＷがオンか否かを判別し、オンの場合は、ステップＳ４０５に進み、オフの場合は、ステップＳ４０４に進む。ステップＳ４０４では、カメラ制御部１０１は、周辺回路への電源オフの指示やデータの退避等の終了設定を行い、本処理を終了する。ステップＳ４０５では、カメラ制御部１０１は、接続している外部ストロボ２００とストロボ通信処理を行い、カメラ側の各種情報を送信し、また、外部ストロボ２００側の各種情報を受信し、ステップＳ４０６に進む。なお、ここでのストロボ通信処理の詳細については、図５を用いて後述する。
【００２６】
ステップＳ４０６では、カメラ制御部１０１は、レリーズスイッチＳＷ１がオフからオンに変化があったか否かを判定し、変化があれば、ステップＳ４０７に進み、変化がなければ、ステップＳ４０９に進む。ステップＳ４０７では、カメラ制御部１０１は、焦点検出部１１５からのデフォーカス量を基に、周知の位相差検出方式による測距演算を行い、ステップＳ４０８に進む。ステップＳ４０８では、カメラ制御部１０１は、前述した測距演算によるデータを基にレンズ駆動量を算出し、レンズ制御部１１４によりレンズユニットのレンズを駆動して合焦動作を行い、ステップＳ４０９に進む。
【００２７】
ステップＳ４０９では、カメラ制御部１０１は、測光部１１２からの出力、設定されたＩＳＯ感度、撮影モード等のカメラ設定情報からシャッタスピード（ＣＭＯＳ蓄積時間）、絞り値等を決定するための測光演算処理を行い、ステップＳ４１０に進む。ステップＳ４１０では、カメラ制御部１０１は、測光演算等により求められたシャッタ秒時、絞り値、ストロボの充電完了情報等のカメラの情報を画像表示部１０７や不図示のファインダ内の情報表示部１０７ａ（図１０参照）に表示し、ステップＳ４１１に進む。
【００２８】
ここで、図１０（ａ）を参照して、情報表示部１０７ａの表示例を説明する。図１０（ａ）に示すように、情報表示部１０７ａには、カメラの各種情報が表示され、後述するマスターフラグが１のときは、「Ｍ」の下のイナズマ・マークが表示され、マスター充電完了（充完）フラグが０のときは、イナズマ・マークが表示されない。また、後述するスレーブ充完フラグが１のときは、「Ｓ」の下のイナズマ・マークが表示され、スレーブ充完フラグが０のときは、イナズマ・マークが表示されない。
【００２９】
また、後述する単充完情報の場合、充完フラグが１のときは、「Ｍ」は表示されないが、「Ｍ」の下のイナズマ・マークが表示され、充完フラグが０のときは、イナズマ・マークは表示されない。なお、図１０（ｂ）に示すように、スレーブストロボの充完台数を分子にし、スレーブストロボの台数を分母にして情報表示部１０７ａに表示することも可能である。
【００３０】
ステップＳ４１１では、カメラ制御部１０１は、レリーズスイッチＳＷ２がオンであるか否かを判別し、オンの場合は、ステップＳ４１２に進み、オンでなければ、ステップＳ４０２へ戻る。ステップＳ４１２では、カメラ制御部１０１は、周知の撮像素子１０３のゲイン設定、蓄積動作および読み出し動作を行うとともに、画像処理、画像書き込み等の静止画の撮影動作を行い、ステップＳ４０２に戻る。
【００３１】
次に、図５を参照して、図４のステップＳ４０５におけるストロボ通信処理について説明する。
【００３２】
図５において、ステップＳ５０１では、カメラ制御部１０１は、外部ストロボ２００に対してストロボ充完情報を取得する為、充完情報要求通信を行い、ステップＳ５０２に進む。ここでの充完情報要求通信の詳細については、図６乃至図９を用いて後述する。ステップＳ５０２では、カメラ制御部１０１は、カメラ側の各種設定情報（ＴＶ，ＡＶ、ＩＳＯ、撮影モードなど）を外部ストロボ２００に送信し、ステップＳ５０３に進む。ステップＳ５０３では、カメラ制御部１０１は、外部ストロボ２００に対して、ストロボの各種情報（ストロボモードなど）を要求して各種情報を受信し、リターンする。
【００３３】
次に、図６を参照して、図５のステップＳ５０１における充完情報要求通信処理について説明する。
【００３４】
図６において、ステップＳ６０１では、カメラ制御部１０１は、外部ストロボ２００に対し、複数充完情報指示通信を行い、ステップＳ６０２に進む。このとき、外部ストロボ２００は、この複数充完情報指示情報を受信して、複数充完情報に対応しているか否かの情報をカメラへ送信する。
【００３５】
図９（ａ）は、複数充完情報指示通信の内容を示す図である。図９（ａ）を参照して、カメラ側からデータ「４０」が送信されると、外部ストロボ２００は、複数充完情報非対応ならばＤＡＴＡ１（複数充完情報フラグ）に０を入力してカメラに送信し、複数充完情報対応ならばＤＡＴＡ１に１を入力してカメラへ送信する。
【００３６】
ステップＳ６０２では、カメラ制御部１０１は、ステップＳ６０１の複数充完情報指示通信により、外部ストロボ２００が複数充完情報非対応であるか否かを判定する。そして、カメラ制御部１０１は、外部ストロボ２００が複数充完情報非対応であれば、ステップＳ６０３の単充完情報取得処理に進み、複数充完情報対応であれば、ステップＳ６０４の複数充完情報取得処理に進む。なお、ステップＳ６０３の単充完情報取得処理の詳細については、図７を用いて後述する。また、ステップＳ６０４の複数充完情報取得処理の詳細については、図８を用いて後述する。
【００３７】
次に、図７を参照して、図６のステップＳ６０３における単充完情報取得処理について説明する。
【００３８】
図７において、ステップＳ７０１では、カメラ制御部１０１は、ストロボ制御部１１８と通信をして、アナログ信号による接続端子の電圧（又は電流）検知（Ｈｉ／Ｌｏｗ）により外部ストロボ２００の充完情報を取得し、ステップＳ７０２に進む。ステップＳ７０２では、カメラ制御部１０１は、ステップＳ７０１でのアナログ信号の検知結果に基づき、充完ならば、ステップＳ７０３に進み、充完でなければ、ステップＳ７０４に進む。
【００３９】
ステップＳ７０３では、カメラ制御部１０１は、ＲＡＭにある充完フラグを１に設定してリターンする。ステップＳ７０４では、カメラ制御部１０１は、ＲＡＭにある充完フラグを０に設定してリターンする。充完フラグが１のとき、カメラ制御部１０１は、外部ストロボ２００が充完と判断してストロボ制御を行う。
【００４０】
次に、図８を参照して、図６のステップＳ６０４における複数充完情報取得処理について説明する。
【００４１】
図８において、ステップＳ８０１では、カメラ制御部１０１は、ストロボ制御部１１８と通信して、アナログ信号による接続端子の電圧（又は電流）検知（Ｈｉ／Ｌｏｗ）によりマスター充完情報（マスター充電完了情報）を取得し、ステップＳ８０２に進む。ステップＳ８０２では、カメラ制御部１０１は、ステップＳ８０１でのアナログ信号の検知結果に基づき、マスター充完（Ｌｏｗ）ならば、ステップＳ８０３に進み、マスター充完でなければ（Ｈｉ）、ステップＳ８０４に進む。
【００４２】
ステップＳ８０３では、カメラ制御部１０１は、ＲＡＭにあるマスター充完フラグを１に設定してリターンする。ステップＳ８０４では、カメラ制御部１０１は、ＲＡＭにあるマスター充完フラグを０に設定してリターンする。
【００４３】
ステップＳ８０５では、カメラ制御部１０１は、ストロボ制御部１１８を介して図２のデジタル通信端子により外部ストロボ２００とスレーブ充完情報（スレーブ充電完了情報）通信を行い、複数のスレーブストロボの充完情報を受信してステップＳ８０６に進む。
【００４４】
図９（ｂ）は、スレーブ充完情報通信の一例であるスレーブ複数充完情報通信の内容を示す図である。図９（ｂ）を参照して、スレーブ複数充完情報通信は、４バイト通信で構成されている。カメラ側からデータ「５０」が外部ストロボ２００に送信されると、外部ストロボ２００は、スレーブ複数充完情報をカメラに送信する。このとき、外部ストロボ２００は、２バイト目から４バイト目まででスレーブ情報（ＤＡＴＡ１〜ＤＡＴＡ３）をカメラに送信する。
【００４５】
ＤＡＴＡ１は、マスターストロボである外部ストロボ２００に通信接続されるスレーブストロボの接続台数であり、０から１６の数値が設定される。ＤＡＴＡ２とＤＡＴＡ３は、各スレーブストロボの充完情報であり、１６台分のビットで用意されている。ビットが１で充完とし、ビットが０で未充完としている。本実施形態では、スレーブストロボの接続台数が１６台であるが、台数を減らして、通信量を減らすことや、台数を増やして通信量を増やすことも可能である。
【００４６】
なお、図９（ｃ）は、スレーブ充完情報通信の他の例であるスレーブ全充完情報通信の内容を示す図である。図９（ｃ）を参照して、カメラ側から１バイト目のデータ「５１」が外部ストロボ２００に送信されると、外部ストロボ２００は、スレーブ充完情報として２バイト目（ＤＡＴＡ１）をカメラに送信する。ＤＡＴＡ１は、スレーブ全充完情報（全充電完了情報）であり、０であればスレーブ全部が充完でない、１であればスレーブ全部が充完、３であればスレーブ接続なしである。
【００４７】
また、図９（ｂ）のスレーブ複数充完情報通信と図９（ｃ）のスレーブ全充完情報通信）の両方を併用してもシステム上は問題がなく、スレーブストロボが全部充完している場合は、スレーブ全充完情報通信の方が、通信バイト数が少ないので有利である。
【００４８】
ステップＳ８０６では、カメラ制御部１０１は、スレーブストロボが全て充完していれば、ステップＳ８０７に進み、そうでなければ，ステップＳ８０８に進む。ステップＳ８０７では、カメラ制御部１０１は、ＲＡＭにあるスレーブ充完フラグを１にセットしてリターンする。ステップＳ８０８では、カメラ制御部１０１は、ＲＡＭにあるスレーブ充完フラグを０にセットしてリターンする。
【００４９】
次に、図１１乃至図１３を参照して、外部ストロボ２００の動作について説明する。図１１は、外部ストロボ２００の動作のメインフローを説明するフローチャートである。図１１の各処理は、ストロボ制御部２０３のＲＯＭ等に格納されたプログラムがＲＡＭに展開されてＣＰＵ等によって実行される。
【００５０】
図１１において、ステップＳ１１０１では、ストロボ制御部２０３は、初期化処理や内部ＲＡＭ（複数充完情報フラグなど）のデータの初期化を行い、ステップＳ１１０２に進む。ステップＳ１１０２では、ストロボ制御部２０３は、操作／表示部２０１により、スイッチ（電源スイッチなど）を検出し、ステップＳ１１０３に進む。ステップＳ１１０３では、ストロボ制御部２０３は、ステップＳ１１０２のスイッチ検出により、電源スイッチがオフならば、ステップＳ１１０４に進み、電源スイッチがオフでなければ、ステップＳ１１０５に進む。ステップＳ１１０４では、ストロボ制御部２０３は、電源オフ処理などの終了設定を行い、ストロボ動作を終了する。
【００５１】
ステップＳ１１０５では、ストロボ制御部２０３は、無線制御部２１２と通信を行い、無線通信の各種設定やスレーブストロボからの情報（スレーブ充完情報を含む）を受信し、ステップＳ１１０６に進む。ステップＳ１１０６では、ストロボ制御部２０３は、インターフェイス２０４を介してカメラとの通信を行い、ステップＳ１１０７に進む。なお、ステップＳ１１０６におけるカメラとの通信処理の詳細については、図１２を用いて後述する。
【００５２】
ステップＳ１１０７では、ストロボ制御部２０３は、カメラに対して外部ストロボ２００（マスターストロボ）自身の充完情報をアナログ信号として出力し、ステップＳ１１０８に進む。なお、ステップＳ１１０７における充電情報（アナログ信号）出力については、図１３を用いて後述する。
【００５３】
ステップＳ１１０８では、ストロボ制御部２０３は、充電制御を行い、外部ストロボ２００のコンデンサの充電の開始や停止を行い、ステップＳ１１０９に進む。ステップＳ１１０９では、ストロボ制御部２０３は、外部ストロボ２００の各状態（ストロボモード、充電状態、ズーム位置等）を操作／表示部２０１に表示し、ステップＳ１１０２へ戻る。
【００５４】
次に、図１２を参照して、図１１のステップＳ１１０６におけるカメラとの通信処理について説明する。なお、ここでは、図９（ａ）において複数充完情報対応の外部ストロボ２００とする。
【００５５】
図１２において、ステップＳ１２０１では、ストロボ制御部２０３は、カメラからの通信がメイン発光通信であれば、ステップＳ１２０２に進み、メイン発光通信でなければ、ステップＳ１２０３に進む。ステップＳ１２０２では、ストロボ制御部２０３は、メイン発光処理を行い、リターンする。ステップＳ１２０３では、ストロボ制御部２０３は、カメラからの通信がプリ発光通信であれば、ステップＳ１２０４に進み、プリ発光通信でなければ、ステップＳ１２０５に進む。ステップＳ１２０４では、ストロボ制御部２０３は、プリ発光量などのプリ発光情報をＲＡＭに記憶保持してプリ発光する為の準備をし、リターンする。
【００５６】
ステップＳ１２０５では、ストロボ制御部２０３は、カメラからの通信が複数充完情報通信指示であれば、ステップＳ１２０６に進み、そうでなければ、ステップＳ１２０８に進む。ステップＳ１２０６では、ストロボ制御部２０３は、複数充完情報対応であることをカメラに送信し、ステップＳ１２０７に進む。ステップＳ１２０７では、ストロボ制御部２０３は、複数充完情報フラグ（図９（ａ）のＤＡＴＡ１）を１にセットして、リターンする。ここでは、カメラに対して複数のストロボ充完情報を送信することをＲＡＭに記憶保持する。
【００５７】
ステップＳ１２０８では、ストロボ制御部２０３は、カメラからの通信がスレーブ充完情報通信要求ならば、ステップＳ１２０９に進み、そうでなければ、ステップＳ１２１０に進む。ステップＳ１２０９では、ストロボ制御部２０３は、スレーブ充完情報（例えば，図９（ｂ）のスレーブ複数充完情報のスレーブ情報（ＤＡＴＡ１〜ＤＡＴＡ３））をデジタル情報としてカメラに送信し、リターンする。
【００５８】
ステップＳ１２１０では、ストロボ制御部２０３は、カメラからの通信がカメラ情報通信であれば、ステップＳ１２１１に進み、そうでなければ、ステップＳ１２１２に進む。ステップＳ１２１１では、ストロボ制御部２０３は、カメラからカメラ情報（撮影モード、シャッタスピード、絞り、ズーム位置、プリ発光情報等）を受信してＲＡＭに記憶保持し、リターンする。
【００５９】
ステップＳ１２１２では、ストロボ制御部２０３は、カメラからの通信がストロボ情報通信要求であれば、ステップＳ１２１３に進み、そうでなければ、リターンする。ステップＳ１２１３では、ストロボ制御部２０３は、ストロボ情報（ストロボモード、電池情報やガイドナンバー情報等）をカメラへ送信し、リターンする。
【００６０】
次に、図１３を参照して、図１１のステップＳ１１０７における充電情報（アナログ信号）出力処理について説明する。
【００６１】
図１３において、ステップＳ１３０１では、ストロボ制御部２０３は、複数充完情報フラグが１であれば、ステップＳ１３０２に進み、そうでなければ、ステップＳ１３０３に進む。ステップＳ１３０２では、ストロボ制御部２０３は、複数充完情報対応の出力であるので、カメラへのアナログ信号の出力にマスター充完情報を設定し、リターンする。ここでは、マスター充完していれば、Ｌｏｗに設定し、マスター充完していなければ、Ｈｉに設定する。
【００６２】
ステップＳ１３０３では、ストロボ制御部２０３は、複数充完情報非対応の出力であるので、カメラへのアナログ信号の出力にマスター充完情報とスレーブ充完情報を設定し、リターンする。ここでは、マスターストロボとスレーブストロボの両方が充完していれば、Ｌｏｗに設定し、そうでなければ、Ｈｉに設定する。
【００６３】
以上説明したように、本実施形態では、カメラから複数充完情報通信指示が外部ストロボ２００へ送信されると、外部ストロボ２００は、マスター充完情報をアナログ出力でカメラへ通知し、スレーブ充完情報をデジタル通信で通知することが可能となる。これにより、カメラ側では、マスター充完情報とスレーブ充完情報をアナログ情報とデジタル情報とに分けて知ることができる。また、カメラからの複数充完情報通信指示が発生しない場合は、マスター充完情報とスレーブ充完情報の両方をアナログ信号により出力する。これにより、多灯制御において、複数のストロボの充完情報があった場合でも、カメラに対して複数のストロボ充完情報を通知することができる。
【００６４】
なお、本実施形態では、カメラから外部ストロボ２００への複数充完情報通信指示により、ストロボの充完情報を複数のストロボ充完情報にしているが、これに限定されない。例えば、これに代えて、カメラから複数充完対応情報をカメラ情報として外部ストロボ２００へ通知し、外部ストロボ２００側でこのカメラ情報から複数充完情報対応の可否をカメラに通知することで、複数のストロボ充完情報に切り替えても良い。
【００６５】
また、本実施形態では、カメラからの複数充完情報通信指示が発生しない場合に、外部ストロボ２００のアナログ信号の出力をマスター充完情報とスレーブ充完情報としているが、マスター充完情報のみとしても良い。
【００６６】
（第２の実施形態）
次に、図１４乃至図１９等を参照して、本発明の照明装置の第２の実施形態に係る外部ストロボについて説明する。なお、本実施形態では、上記第１の実施形態に対して重複又は相当する部分については図及び符号を流用しつつ、主に相違点について説明する。
【００６７】
図１４は、カメラ側での充電情報要求通信処理を説明するフローチャートである。図１４の各処理は、カメラ制御部１０１のＲＯＭ等に格納されたプログラムがＲＡＭに展開されてＣＰＵ等によって実行される。
【００６８】
図１４において、ステップＳ１４０１では、カメラ制御部１０１は、外部ストロボ２００へ機種情報通信を行い、ステップＳ１４０２に進む。このとき、外部ストロボ２００は、受信した機種情報に応じたストロボ機種情報をカメラへ送信する。
【００６９】
図１９（ａ）は、カメラと外部ストロボ２００の機種情報通信の内容を示す図である。カメラは、２バイト目のカメラ機種コードを外部ストロボ２００に送信し、外部ストロボ２００は、２バイト目のストロボ機種コードをカメラに送信する。
【００７０】
ステップＳ１４０２では、カメラ制御部１０１は、ＲＡＭにある複数充完情報対応フラグを１にセットし、ステップＳ１４０３に進む。ステップＳ１４０３では、カメラ制御部１０１は、外部ストロボ２００から受信したストロボ機種コードを基に、ＲＡＭで保有している複数充完情報非対応のストロボ機種テーブル（図１８（ａ））と比較する。
【００７１】
そして、カメラ制御部１０１は、ストロボ機種コードが一致していれば、ステップＳ１４０４に進み、そうでなければ、ステップＳ１４０５に進む。ステップＳ１４０５では、カメラ制御部１０１は、ストロボ機種テーブルでのストロボ機種コードの比較が終了するまで確認し、比較するストロボ機種コードが終了（ストロボ機種テーブルの最後の比較が終了）すれば、ステップＳ１４０６に進む。これにより、接続している外部ストロボが複数充完情報対応のストロボか否かを判断している。
【００７２】
ステップＳ１４０４では、カメラ制御部１０１は、ＲＡＭにある複数充完情報対応フラグを０にセットし、ステップＳ１４０６に進む。ステップＳ１４０６では、カメラ制御部１０１は、複数充完情報対応フラグが０であれば、ステップＳ１４０７の単充完情報取得処理に進む。なお、ステップＳ１４０７の単充完情報取得処理については、上記第１の実施形態の図７の処理と同様であるので、その説明を省略する。また、カメラ制御部１０１は、複数充完情報対応フラグが１であれば、ステップＳ１４０８の複数充完情報取得処理に進む。なお、ここでの複数充完情報取得処理の詳細については、図１５を用いて後述する。
【００７３】
図１５は、図１４のステップＳ１４０８における複数充完情報取得処理を説明するフローチャートである。
【００７４】
図１５において、ステップＳ１５０１では、カメラ制御部１０１は、ストロボ制御部１１８と通信して、アナログ信号による接続端子の電圧（又は電流）検知（Ｈｉ／Ｌｏｗ）により外部ストロボ２００から充完情報を取得し、ステップＳ１５０２に進む。ステップＳ１５０２では、カメラ制御部１０１は、アナログ信号の検知結果から充完であれば、ステップＳ１５０３に進み、充完でなければ、ステップＳ１５０４に進む。
【００７５】
ステップＳ１５０３では，カメラ制御部１０１は、ＲＡＭにあるスレーブ充完フラグを１に設定し、ステップＳ１５０５に進む。ステップＳ１５０４では、カメラ制御部１０１は、ＲＡＭにあるスレーブ充完フラグを０に設定し、ステップＳ１５０５に進む。
【００７６】
ステップＳ１５０５では、カメラ制御部１０１は、ストロボ制御部１１８を介して図２のデジタル通信端子で外部ストロボ２００と通信を行い、マスター充完情報を受信し、ステップＳ１５０６に進む。
【００７７】
ここで、図１９（ｂ）を参照して、マスター充完情報通信について説明する。図１９（ｂ）に示すように、マスター充完情報通信は、２バイト通信で構成されている。カメラ側から２バイト通信目のデータ「５４」が送信されると、外部ストロボ２００は、２バイト目のＤＡＴＡ１のマスター充完情報をカメラに送信する。ＤＡＴＡ１は、マスター未充完であれば、０が入力され、マスター充完であれば、１が入力される。
【００７８】
ステップＳ１５０６では、カメラ制御部１０１は、マスター充完であれば、ステップＳ１５０７に進み、マスター未充完であれば、ステップＳ１５０８に進む。ステップＳ１５０７では、カメラ制御部１０１は、マスター充完フラグを１にセットしてリターンし、ステップＳ１５０８では、カメラ制御部１０１は、マスター充完フラグを０にセットしてリターンする。本実施形態では、カメラは、マスター充完フラグが１のとき、ストロボが充完と判断してストロボ制御を行う。なお、本実施形態では、スレーブ情報は、全充完情報しか判らない為、カメラのファインダ内の情報表示部１０７ａの充完情報表示は、図１０（ａ）となり、図１０（ｂ）のような表示はできない。
【００７９】
次に、図１６乃至図１９を参照して、外部ストロボ２００の動作を説明する。なお、本実施形態では、上記第１の実施形態（図１１）の外部ストロボ２００の動作のメインフローにおいて、カメラとの通信処理（ステップＳ１１０６）及び充完情報（アナログ信号）出力（ステップＳ１１０７）のみが相違するため、相違点について説明する。
【００８０】
図１６は、カメラとの通信処理を説明するフローチャートである。図１６において、ステップＳ１６０１では、ストロボ制御部２０３は、カメラからの通信がメイン発光通信であれば、ステップＳ１６０２に進み、そうでなければ、ステップＳ１６０３に進む。ステップＳ１６０２では、ストロボ制御部２０３は、メイン発光処理を行い、リターンする。ステップＳ１６０３では、ストロボ制御部２０３は、カメラからの通信がプリ発光通信であれば、ステップＳ１６０４に進み、そうでなければ、ステップＳ１６０５に進む。
【００８１】
ステップＳ１６０４では、ストロボ制御部２０３は、プリ発光量などのプリ発光情報をＲＡＭに記憶保持してプリ発光する為の準備をしてリターンする。ステップＳ１６０５では、ストロボ制御部２０３は、カメラからの通信が機種情報通信であれば、ステップＳ１６０６に進み、そうでなければ、ステップＳ１６１１に進む。
【００８２】
ステップＳ１６０６では、ストロボ制御部２０３は、ストロボ制御部２０３は、図１９（ａ）を参照して、カメラからのカメラ機種コードの受信とカメラへのストロボ機種コートの送信処理を行い、ステップＳ１６０７に進む。ステップＳ１６０７では、ストロボ制御部２０３は、複数充完情報フラグを１にセットし、ステップＳ１６０８に進む。
【００８３】
ステップＳ１６０８では、ストロボ制御部２０３は、ステップＳ１６０６で受信したカメラ機種コードを基に、ＲＡＭに保有している複数充完情報の非対応のカメラ機種テーブル（図１８（ｂ））と比較する。
【００８４】
そして、ストロボ制御部２０３は、受信したカメラ機種コードがカメラ機種テーブルのカメラ機種コードと一致していれば、ステップＳ１６０９に進み、そうでなければ、ステップＳ１６１０に進む。ステップＳ１６１０では、ストロボ制御部２０３は、カメラ機種テーブル（図１８（ｂ））でのカメラ機種コードの比較が終了するまで確認し、比較するカメラ機種コードが終了（カメラ機種テーブル（図１８（ｂ））の最後の比較が終了）すれば、リターンする。
【００８５】
ステップＳ１６０９では、ストロボ制御部２０３は、複数充完情報フラグを０にセットしリターンする。これにより、接続しているカメラが複数充完情報対応のカメラか否かを判断している。
【００８６】
ステップＳ１６１１では、ストロボ制御部２０３は、カメラからの通信がマスター充完情報要求通信であれば、ステップＳ１６１２に進み、そうでなければ、ステップＳ１６１３に進む。ステップＳ１６１２では、ストロボ制御部２０３は、図１９（ｂ）に示すマスター充完情報をカメラへ送信してリターンする。
【００８７】
ステップＳ１６１３では、ストロボ制御部２０３は、カメラからの通信がカメラ情報通信であれば、ステップＳ１６１４に進み、そうでなければ、ステップＳ１６１５に進む。ステップＳ１６１４では、ストロボ制御部２０３は、カメラからカメラ情報（撮影モード、シャッタスピード、絞り、ズーム位置、プリ発光情報等）を受信してＲＡＭに記憶保持し、リターンする。
【００８８】
ステップＳ１６１５では、ストロボ制御部２０３は、カメラからの通信がストロボ情報要求通信であれば、ステップＳ１６１６に進み、そうでなければ、リターンする。ステップＳ１６１６では、ストロボ制御部２０３は、ストロボ情報（ストロボモード、電池情報やガイドナンバー情報等）をカメラへ送信し、リターンする。
【００８９】
図１７は、充完情報（アナログ信号）出力処理を説明するフローチャートである。図１７において、ステップＳ１７０１では、ストロボ制御部２０３は、複数充完情報フラグが１であれば、ステップＳ１７０２に進み、そうでなければ、ステップＳ１７０３に進む。ステップＳ１７０２では、ストロボ制御部２０３は、複数充完情報対応の出力であるので、カメラへのアナログ信号の出力にスレーブ充完情報を設定し、リターンする。ここでは、すべてのスレーブストロボが充完していれば、Ｌｏｗに設定し、そうでなければ、Ｈｉに設定する。
【００９０】
ステップＳ１７０３では、ストロボ制御部２０３は、複数充完情報非対応の出力であるので、カメラへのアナログ信号の出力にマスター充完情報とスレーブ充完情報を設定し、リターンする。ここでは、マスターストロボとスレーブストロボの両方が充完していれば、Ｌｏｗに設定し、そうでなければ、Ｈｉに設定する。
【００９１】
以上説明したように、本実施形態では、外部ストロボ２００は、カメラからの機種情報により、接続しているカメラが複数充完情報に対応しているか否かを判断する。そして、接続しているカメラが複数充完情報に対応していると判断した場合は、スレーブ充完情報をアナログ出力でカメラへ通知し、マスター充完情報をデジタル通信でカメラに通知することが可能となる。また、カメラが複数充完情報に対応していない場合は、マスター充完情報とスレーブ充完情報の両方をアナログ信号で出力する。これにより、多灯制御において、複数のストロボの充完情報があった場合でも、カメラに対して複数のストロボ充完情報を通知することができる。
【００９２】
なお、本実施形態では、カメラが複数充完情報に対応していない場合に、外部ストロボ２００のアナログ信号の出力をマスター充完情報とスレーブ充完情報としているが、マスター充完情報のみとしても良い。その他の構成、及び作用効果は、上記第１の実施形態と同様である。
【００９３】
（第３の実施形態）
次に、図２０乃至図２３等を参照して、本発明の照明装置の第３の実施形態に係る外部ストロボについて説明する。なお、本実施形態では、上記第１の実施形態に対して重複又は相当する部分については図及び符号を流用しつつ、主に相違点について説明する。
【００９４】
図２０は、カメラ側での充電情報要求通信処理を説明するフローチャートである。図２０の各処理は、カメラ制御部１０１のＲＯＭ等に格納されたプログラムがＲＡＭに展開されてＣＰＵ等によって実行される。
【００９５】
図２０において、ステップＳ２００１では、カメラ制御部１０１は、外部ストロボ２００に対して複数充完情報指示通信を行い、ステップＳ２００２に進む。このとき、外部ストロボ２００は、この複数充完情報指示情報を受信して、複数充完情報に対応しているか否かの情報をカメラへ送信する。
【００９６】
具体的には、図９（ａ）で前述したように、カメラ側からデータ「４０」が送信されると、外部ストロボ２００は、複数充完情報非対応であれば、ＤＡＴＡ１に０を入力し、複数充完情報対応であれば、ＤＡＴＡ１に１を入力して、カメラへ通知する。
【００９７】
ステップＳ２００２では、カメラ制御部１０１は、ステップＳ２００１での通信により、外部ストロボ２００が複数充完情報非対応であれば、ステップＳ２００３に進み、複数充完情報対応であれば、ステップＳ２００４に進む。ステップＳ２００３では、カメラ制御部１０１は、単充完情報通信として、前述した図１９（ｂ）に示すマスター充完情報通信を行い、マスター充完情報を取得してリターンする。ステップＳ２００４では、カメラ制御部１０１は、図８で既に説明した複数充完情報取得処理と同様の処理を行い、リターンする。
【００９８】
次に、図２１及び図２２を参照して、外部ストロボ２００の動作を説明する。なお、本実施形態では、上記第１の実施形態（図１１）の外部ストロボ２００の動作のメインフローにおいて、カメラとの通信処理（ステップＳ１１０６）及び充完情報（アナログ信号）出力（ステップＳ１１０７）のみが相違するため、相違点について説明する。
【００９９】
図２１は、カメラとの通信処理を説明するフローチャートである。図２１において、ステップＳ２１０１では、ストロボ制御部２０３は、カメラからの通信がメイン発光通信であれば、ステップＳ２１０２に進み、そうでなければ。ステップＳ２１０３に進む。ステップＳ２１０２では、ストロボ制御部２０３は、メイン発光処理を行い、リターンする。
【０１００】
ステップＳ２１０３では、ストロボ制御部２０３は、カメラからの通信がプリ発光通信であれば、ステップＳ２１０４に進み、そうでなければ、ステップＳ２１０５に進む。ステップＳ２１０４では、ストロボ制御部２０３は、プリ発光量などのプリ発光情報をＲＡＭに記憶保持し、プリ発光する為の準備をしてリターンする。
【０１０１】
ステップＳ２１０５では、ストロボ制御部２０３は、カメラからの通信が複数充完情報指示通信であれば、ステップＳ２１０６に進み、そうでなければ、ステップＳ２１０８に進む。ステップＳ２１０６では、ストロボ制御部２０３は、前述した図９（ａ）の複数充完情報対応の送信を行い、ステップＳ２１０７に進む。ステップＳ２１０７では、ストロボ制御部２０３は、複数充完情報フラグを１にセットして、カメラへ複数の充完情報を送信することをＲＡＭに記憶保持してリターンする。
【０１０２】
ステップＳ２１０８では、ストロボ制御部２０３は、カメラからの通信がマスター充完情報要求通信であれば、ステップＳ２１０９に進む。ステップＳ２１０９では、ストロボ制御部２０３は、前述した図１９（ｂ）のマスター充完情報をカメラへ送信し、リターンする。ステップＳ２１１０では、カメラからの通信がスレーブ充完情報要求通信であれば、ステップＳ２１１１に進み、そうでなければ、ステップＳ２１１２に進む。ステップＳ２１１１では、ストロボ制御部２０３は、前述した図９（ｂ）のスレーブ充完情報をカメラに送信し、リターンする。
【０１０３】
ステップＳ２１１２では、ストロボ制御部２０３は、カメラからの通信がカメラ情報通信ならば、ステップＳ２１１３に進み、そうでなければ、ステップＳ２１１４に進む。ステップＳ２１１３では、ストロボ制御部２０３は、カメラ情報（撮影モード、シャッタスピード、絞り、ズーム位置、プリ発光情報等）をＲＡＭに記憶保持しリターンする。ステップＳ２１１４では、カメラからの通信がストロボ情報要求通信であれば、ステップＳ２１１５に進み、そうでなければ、リターンする。ステップＳ２１１５では、ストロボ制御部２０３は、ストロボ情報（ストロボモード、電池情報やガイドナンバー情報等）をカメラへ送信し、リターンする。
【０１０４】
図２２は、充完情報（アナログ信号）出力処理を説明するフローチャートである。図２２において、ステップＳ２２０１では、複数充完情報フラグが１であれば、ステップＳ２２０２に進み、そうでなければ、ステップＳ２２０３に進む。ステップＳ２２０２では、ストロボ制御部２０３は、複数充完情報対応の出力であるので、カメラへのアナログ信号の出力にマスター充完情報を設定し、リターンする。ここでは、マスター充完していれば、Ｌｏｗに設定し、マスター充完していなければ、Ｈｉに設定する。ステップＳ２２０３では、複数充完情報が非対応であるので、アナログ信号は出力せず、リターンする。
【０１０５】
以上説明したように、本実施形態では、カメラから外部ストロボ２００へ複数充完情報指示が通知されると、外部ストロボ２００は、マスター充完情報をアナログ出力してカメラへ通知し、スレーブ充完情報をデジタル通信でカメラに通知することが可能となる。また、カメラからの複数充完情報指示が発生しない場合は、カメラへのマスター充完情報の送信をデジタル通信で行う。
【０１０６】
なお、本実施形態では、カメラから外部ストロボ２００への複数充完情報通信指示により、ストロボの充完情報を複数のストロボ充完情報にしているが、これに限定されない。例えば、これに代えて、カメラから複数充完対応情報をカメラ情報として外部ストロボ２００へ通知し、外部ストロボ２００側でこのカメラ情報から複数充完情報対応の可否をカメラに通知することで、複数のストロボ充完情報に切り替えても良い。
【０１０７】
また、本実施形態では、カメラからの複数充完情報通信指示が発生しない場合に、外部ストロボ２００のアナログ出力をマスター充完情報のみとしているが、マスターストロボとスレーブストロボの両方が充完していた場合の図２３に示す情報を用いてもよい。その他の構成、及び作用効果は、上記第１の実施形態と同様である。
【０１０８】
（第４の実施形態）
次に、図２４等を参照して、本発明の照明装置の第４の実施形態に係る外部ストロボについて説明する。なお、本実施形態では、上記第１の実施形態に対して重複又は相当する部分については図及び符号を流用しつつ、主に相違点について説明する。また、カメラとの通信処理については、上記第３の実施形態（図２１）と同様であるため、その説明を省略する。
【０１０９】
図２４は、カメラ側での複数充完情報取得処理を説明するフローチャートである。図２４の各処理は、カメラ制御部１０１のＲＯＭ等に格納されたプログラムがＲＡＭに展開されてＣＰＵ等によって実行される。
【０１１０】
図２４において、ステップＳ２４０１では、カメラ制御部１０１は、ストロボ制御部１１８を介して図２のデジタル通信端子で外部ストロボ２００と通信を行い、前述した図１９（ｂ）のマスター充完情報を受信し、ステップＳ２４０２に進む。なお、ここでは、図２５に示すマスター充完情報とスレーブ充完情報を一緒に受信する通信にしても良い。
【０１１１】
ステップＳ２４０２では、カメラ制御部１０１は、マスターストロボが充完であれば、ステップＳ２４０３に進み、そうでなければ、ステップＳ２４０４に進む。ステップＳ２４０３では、カメラ制御部１０１は、ＲＡＭにあるマスター充完フラグを１に設定し、ステップＳ２４０５に進む。ステップＳ２４０４では、カメラ制御部１０１は、ＲＡＭにあるマスター充完フラグを０に設定し、ステップＳ２４０５に進む。
【０１１２】
ステップＳ２４０５では、カメラ制御部１０１は、ストロボ制御部１１８を介して図２のデジタル通信端子で外部ストロボ２００と通信を行い、前述した図９（ｂ）のスレーブ充完情報を受信し、ステップＳ２４０６に進む。なお、ステップＳ２４０１で図２５のスレーブ充完情報も受信している場合は、ここでスレーブ充完情報を受信する必要はない。
【０１１３】
ステップＳ２４０６では、カメラ制御部１０１は、すべてのスレーブストロボが充完していれば、ステップＳ２４０７に進み、そうでなければ、ステップＳ２４０８に進む。ステップＳ２４０７では、カメラ制御部１０１は、スレーブ充完フラグを１にセットし、リターンする。ステップＳ２４０８では、カメラ制御部１０１は、スレーブ充完フラグを０にセットし、リターンする。
【０１１４】
以上説明したように、本実施形態では、カメラから複数充完情報通信指示が外部ストロボ２００へ通知されると、外部ストロボ２００は、マスター充完情報とスレーブ充完情報をデジタル通信で分けて通知することが可能となる。また、カメラからの複数充完情報通信指示が発生しない場合は、マスター充完情報とスレーブ充完情報をアナログ出力により行う。
【０１１５】
なお、本実施形態では、カメラから外部ストロボ２００への複数充完情報通信指示により、ストロボの充完情報を複数のストロボ充完情報にしているが、これに限定されない。例えば、これに代えて、カメラから複数充完対応情報をカメラ情報として外部ストロボ２００へ通知し、外部ストロボ２００側でこのカメラ情報から複数充完情報対応の可否をカメラに通知することで、複数のストロボ充完情報に切り替えても良い。
【０１１６】
また、本実施形態では、カメラからの複数充完情報通信指示が発生しない場合に、外部ストロボ２００のアナログ信号の出力をマスター充完情報とスレーブ充完情報としているが、マスター充完情報のみとしても良い。その他の構成、及び作用効果は、上記第１の実施形態と同様である。
【０１１７】
（第５の実施形態）
次に、図２６及び図２７等を参照して、本発明の照明装置の第５の実施形態に係る外部ストロボについて説明する。なお、本実施形態では、上記第１の実施形態に対して重複又は相当する部分については図及び符号を流用しつつ、主に相違点について説明する。また、カメラとの通信処理については、上記第３の実施形態（図２１）と同様であるため、その説明を省略する。
【０１１８】
図２６は、カメラ側での複数充完情報取得処理を説明するフローチャートである。図２６の各処理は、カメラ制御部１０１のＲＯＭ等に格納されたプログラムがＲＡＭに展開されてＣＰＵ等によって実行される。
【０１１９】
図２６において、ステップＳ２６０１では、カメラ制御部１０１は、ストロボ制御部１１８と通信をして、アナログ信号による接続端子の電圧（又は電流）検知（Ｈｉ／Ｌｏｗ）により外部ストロボ２００から充完情報を取得し、ステップＳ２６０２に進む。ステップＳ２６０２では、カメラ制御部１０１は、アナログ信号の検知結果が充完であれば、ステップＳ２６０３に進み、充完でなければ、ステップＳ２６０４に進む。
【０１２０】
ステップＳ２６０３では、カメラ制御部１０１は、ＲＡＭにあるスレーブ充完フラグを１に設定し、ステップＳ２６０５に進む。ステップＳ２６０４では、カメラ制御部１０１は、ＲＡＭにあるスレーブ充完フラグを０に設定してステップＳ２６０５に進む。ステップＳ２６０５では、カメラ制御部１０１は、ストロボ制御部１１８を介して図２のデジタル通信端子で外部ストロボ２００と通信を行い、マスター充完情報とスレーブ充完情報を受信し、ステップＳ２６０６に進む。ここでは、マスター充完情報は、図１９（ｂ）の情報で受信可能であり、スレーブ充完情報は、図９（ｂ）の情報で受信可能である。
【０１２１】
ステップＳ２６０６では、カメラ制御部１０１は、マスター充完していれば、ステップＳ２６０７に進む、そうでなければ、ステップＳ２６０８に進む。ステップＳ２６０７では、カメラ制御部１０１は、マスター充完フラグを１にセットしてリターンし、ステップＳ２６０８では、カメラ制御部１０１は、マスター充完フラグを０にセットし、リターンする。本実施形態では、カメラは、マスター充完フラグが１のとき、ストロボが充完と判断してストロボ制御を行う。
【０１２２】
図２７は、外部ストロボ２００側の充完情報（アナログ信号）出力処理を説明するフローチャートである。図２７において、ステップＳ２７０１では、ストロボ制御部２０３は、複数充完情報フラグが１であれば、ステップＳ２７０２に進み、そうでなければ、ステップＳ２７０３に進む。
【０１２３】
ステップＳ２７０２では、ストロボ制御部２０３は、カメラへのアナログ信号の出力にスレーブ充完情報を設定し、リターンする。ここでは、すべてのスレーブストロボが充完していれば、Ｌｏｗに設定し、そうでなければ、Ｈｉに設定する。ステップＳ２７０３では、ストロボ制御部２０３は、複数充完情報対応の出力ではないので、カメラへのアナログ信号の出力にマスター充完情報とスレーブ充完情報を設定し、リターンする。ここでは、マスターストロボとスレーブストロボの両方が充完していれば、Ｌｏｗに設定し、そうでなければ、Ｈｉに設定する。
【０１２４】
以上説明したように、本実施形態では、カメラから複数充完情報通信指示が外部ストロボ２００へ通知されると、外部ストロボ２００は、スレーブ充完情報をアナログ出力でカメラへ通知し、マスター充完情報とスレーブ充完情報をデジタル通信でカメラに通知する。また、カメラからの複数充完情報通信指示が発生しない場合は、マスター充完情報とスレーブ充完情報をアナログ出力によりカメラに通知する。
【０１２５】
なお、本実施形態では、カメラから外部ストロボ２００への複数充完情報通信指示により、ストロボの充完情報を複数のストロボ充完情報にしているが、これに限定されない。例えば、これに代えて、カメラから複数充完対応情報をカメラ情報として外部ストロボ２００へ通知し、外部ストロボ２００側でこのカメラ情報から複数充完情報対応の可否をカメラに通知することで、複数のストロボ充完情報に切り替えても良い。
【０１２６】
なお、本実施形態では、カメラからの複数充完情報通信指示が発生しない場合に、外部ストロボ２００のアナログ信号の出力をマスター充完情報とスレーブ充完情報としているが、マスター充完情報のみとしても良い。
【０１２７】
以上、本発明の好適は実施形態を説明したが、本発明は、上記各実施形態に例示したものに限定されるものではなく、本発明の要旨を逸脱しない範囲において適宜変更可能である。
【０１２８】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２９】
２００  外部ストロボ
２０３  ストロボ制御部
２０４  インターフェイス
２０５  ストロボ発光部
２１２  無線制御部
【図１】
2018165770.tif 000003
【図２】
2018165770.tif 000004
【図３】
2018165770.tif 000005
【図４】
2018165770.tif 000006
【図５】
2018165770.tif 000007
【図６】
2018165770.tif 000008
【図７】
2018165770.tif 000009
【図８】
2018165770.tif 000010
【図９】
2018165770.tif 000011
【図１０】
2018165770.tif 000012
【図１１】
2018165770.tif 000013
【図１２】
2018165770.tif 000014
【図１３】
2018165770.tif 000015
【図１４】
2018165770.tif 000016
【図１５】
2018165770.tif 000017
【図１６】
2018165770.tif 000018
【図１７】
2018165770.tif 000019
【図１８】
2018165770.tif 000020
【図１９】
2018165770.tif 000021
【図２０】
2018165770.tif 000022
【図２１】
2018165770.tif 000023
【図２２】
2018165770.tif 000024
【図２３】
2018165770.tif 000025
【図２４】
2018165770.tif 000026
【図２５】
2018165770.tif 000027
【図２６】
2018165770.tif 000028
【図２７】
2018165770.tif 000029